(57)【特許請求の範囲】
【請求項１】
下記の式（１）；
−ＮＨ−（ＣＨ2）ｍ−ＳＯ3Ｈ        （１）
（式中、ｍは１〜１８の整数を示す。）
で表される基およびその塩の形態をなす基から選ばれる少なくとも１種の修飾基を有している、アルギン酸、ヒアルロン酸およびそれらの塩のうちの少なくとも１種からなる多糖類を含む癒着防止材であって、前記の式（１）で表される修飾基が、当該修飾基の一方の端部における−ＮＨ−部分でアルギン酸、ヒアルロン酸またはそれらの塩中のカルボキシル基とアミド結合をなしてアルギン酸、ヒアルロン酸またはそれらの塩に結合している、ことを特徴とする癒着防止材。
【請求項２】
式（１）で表される基およびその塩の形態の基から選ばれる少なくとも１種よりなる修飾基の含有率が、硫黄原子に換算して、０．０５〜１０重量％である前記多糖類を含んでいる請求項１の癒着防止材。
【請求項３】
前記多糖類が、疎水性アミノ酸、そのアルキルエステルまたはアルキルアミドに由来する疎水性の修飾基を更に有し、当該疎水性の修飾基が、前記多糖類中のカルボキシル基と疎水性アミノ酸、そのアルキルエステルまたはアルキルアミド中のアミノ基との縮合反応によって形成されるアミド結合によって当該多糖類に結合している、請求項１または２の癒着防止材。
【請求項４】
下記の式（１）；
−ＮＨ−（ＣＨ2）ｍ−ＳＯ3Ｈ        （１）
（式中、ｍは１〜１８の整数を示す。）
で表される基、およびその塩の形態をなす基から選ばれる少なくとも１種の修飾基を有しているアルギン酸、ヒアルロン酸またはそれらの塩からなる多糖類であって、前記の式（１）で表される修飾基が、当該修飾基の一方の端部における−ＮＨ−部分でアルギン酸、ヒアルロン酸またはそれらの塩中のカルボキシル基とアミド結合をなしてアルギン酸、ヒアルロン酸またはそれらの塩に結合していることを特徴とするアルギン酸、ヒアルロン酸またはそれらの塩からなる多糖類。
【請求項５】
式（１）で表される基およびその塩の形態の基から選ばれる少なくとも１種よりなる修飾基の含有率が、硫黄原子に換算して、０．０５〜１０重量％である請求項４の多糖類。
【請求項６】
疎水性アミノ酸、そのアルキルエステルまたはアルキルアミドに由来する疎水性の修飾基を更に有し、当該疎水性の修飾基が、多糖類中のカルボキシル基と疎水性アミノ酸、そのアルキルエステルまたはアルキルアミド中のアミノ基との縮合反応によって形成されるアミド結合によって多糖類に結合している、請求項４または５の多糖類。
【発明の詳細な説明】
【０００１】
【発明の属する技術分野】
本発明は、癒着防止材および癒着防止材として有効な多糖類に関する。より詳細には、本発明は特定の基によって修飾した多糖類を含む癒着防止材、および該癒着防止材として有効に用いることのできる多糖類に関するものであり、本発明の癒着防止材は、癒着の防止や低減が必要な生体組織の損傷部への適用が容易であり、安全性に優れており、しかも所望の期間に亙って安定して良好な癒着防止効果を発揮する。
【０００２】
【従来の技術】
手術、ケガ、その他の理由によって、例えば、腎臓、肝臓、心臓、胃などの内臓や血管、腸、子宮などの生体組織に損傷、炎症などが発生すると、損傷部同士または損傷部と他の組織との癒着が生じて、種々の機能不全を起こし、場合によっては再手術が必要になるなどの問題を生じている。
【０００３】
従来、生体組織の癒着防止に当たっては、損傷部の組織が修復したり治癒したりするまでの期間に亙って損傷部にオキシセルロース製の網を施して、損傷部を他の生体組織や他の生体箇所から隔離して癒着を防止する方法が広く採用されている。しかしながら、オキシセルロース製の癒着防止網は、使い勝手が悪く、生体組織への吸収が遅く、しかも異物反応を生ずるなどの問題があり、十分に満足のゆくものではない。
【０００４】
また、生体組織の癒着防止などを目的として、上記したオキシセルロースとは別に、多糖類に基づく生体組織用の材料が従来から色々提案されており、そのような従来技術としては、
（ｉ）  ヒアルロン酸またはその誘導体の架橋ゲルからなる生体組織用の成形物（特開昭６１−２３４８６４号公報）；
（ii）  組成物の癒着および合着を防止するためのインプラントとして使用される、架橋カルボキシル含有ポリサッカライドゲル（特表昭６１−５０２７２９号公報)；
（iii）  ヒアルロン酸とその他の親水性ポリマーをジビニルスルホン架橋剤で架橋してなる、生体組織の癒着防止やその他の目的で用いられる生体組織用のゲル組成物（特公平２−１３８３４６号公報）；
（iv）  活性化されたヒアルロン酸をアミノ酸やその塩などからなる求核性試薬と反応させて形成してなる、生体組織の癒着防止材などとして使用し得るゲル（特表平３−５０２７０４号公報）；
（ｖ）  ヒアルロン酸、ポリアニオン多糖類および活性化剤を用いて形成された、生体組織の癒着防止や薬物のデリバリー用に用いられるゲル(特表平５−５０８１６１号公報)；
などが知られている。
【０００５】
しかしながら、上記した（ｉ）〜（ｖ）の従来技術の場合は、その癒着防止材などの生体組織用の材料がいずれも水に不溶性のゲル状物であり、そのため構造の複雑な患部や奥まった位置にある患部への適用や固定が困難であり、また適用した場合は所定の位置からのずれなどを生じ易く、損傷部の癒着防止を安定して行うことができないという欠点を有している。
【０００６】
また、上記（ｉ）〜（ｖ）の従来技術とは別に、（vi）イオン架橋したカルボキシ含有キチン誘導体を含んでなる、希酸性の水性溶液に可溶な癒着防止用材料（特公平７−９００４１号公報）が提案されている。しかしながら、この（vi）の従来技術では、カルボキシ含有キチン誘導体を希酸性の水性溶液に溶解し、その溶液を乾燥してフイルム状にした後、該キチン誘導体中のアミノ基とイオン架橋することができるアニオンを有する酸性の水性溶液で該フイルムを湿潤して架橋させ、その架橋フイルムを水性溶液に溶解して、生体組織の癒着防止用の粘性流体を調製するという極めて複雑な工程が採られており、そのため目的とする癒着防止材を簡単に得ることができないという欠点を有している。
【０００７】
さらに、上記した（ｉ）〜（vi）の従来技術とは別に、（vii）アルギン酸ナトリウムの水溶液を主剤とする腹腔内癒着防止剤が知られている（特開昭５７−１６７９１９号公報）。そして、この（vii）の従来技術による場合は、癒着防止材が水溶液であるため患部への適用は容易であるが、アルギン酸ナトリウム（アルギン酸）が生体によって速やかに吸収され排泄されてしまうことにより、短期間の癒着防止効果（隔離効果）しか期待できず、治癒の遅い損傷部には用いることができないという欠点がある。しかも、アルギン酸ナトリウムの水溶液による場合は、物理的な隔離作用のみによって患部の癒着防止がなされるだけであって、線維芽細胞増殖抑制作用を持たないために、線維芽細胞の増殖を抑制して生物学的に癒着を防止するという効果を期待できず、かかる点からも、その癒着防止効果が充分であるとは言えない。
【０００８】
また、上記した（ｉ）〜（vii）の従来技術以外にも、
（viii）  ケラタン硫酸、コンドロイチン硫酸、デルマタン硫酸、ヘパラン硫酸などの硫酸エステルから主としてなる生体組織の癒着防止材などに用いる医薬組成物（特表平６−５０２８４０号公報）；
（ix）  硫黄含有量が１０重量％よりも大であるデキストラン硫酸を含む、癒着防止用などに用いる組成物（特表平６−５０８３５６号公報）；
が知られている。
しかしながら、この（viii）および（ix）の従来技術による場合は、硫酸基がポリマー中で硫酸エステルの形態をなしていることにより、生体内で分解され易く、短期間のうちにその癒着防止効果が低減したり、失われるという欠点がある。
【０００９】
【発明が解決しようとする課題】
本発明の目的は、水溶液や粘性溶液などのような液状の形態にして用いることができ、それによって複雑な構造の患部や奥まった位置にある患部にも容易に施すことのできる癒着防止材を提供することである。
そして、本発明の目的は、物理的な隔離による癒着防止効果と共に、線維芽細胞の増殖を抑制して生物学的な癒着防止効果をも達成することのできる、癒着防止効果に優れる癒着防止材を提供することである。
さらに、本発明の目的は、耐加水分解性に優れていて、加水分解によって短期間にその癒着防止効果が失われるという問題がなく、しかも生体組織によって適度に吸収・排泄され、それによって所望の期間に亙って安定してその癒着防止効果を発揮することのできる、生物学的に安全な癒着防止材を提供することである。
そして、本発明の目的は、上記した優れた特性を備える癒着防止材に有効に用いることのできる、生体適合性に優れる多糖類を提供することである。
【００１０】
【課題を解決するための手段】
上記の目的を達成すべく本発明者らは、安全性の点を考慮しつつ、従来から生体組織用の癒着防止材として用いられている多糖類について、その素材面での改質について種々検討を重ねてきた。
その結果、多糖類中に、式；−ＮＨ−（ＣＨ2）ｍ−ＳＯ3Ｈ（式中、ｍは１〜１８の整数）で表される基および／またはその塩の形態の基を導入すると、その基によって修飾された多糖類が、ゲルを形成せず、水性溶液や粘性流体の形態で使用することができ、そのため複雑な構造の患部や奥まった位置にある患部にも容易に施し得ることを見出した。
さらに、本発明者らは、上記した基で修飾した多糖類が、良好な生体適合性を有していること、しかも物理的な隔離による癒着防止機能と共に、線維芽細胞増殖抑制による生物学的な癒着防止効果をも有していること、その上耐加水分解性に優れていて短期間にその癒着防止効果が失われず、所望の期間に亙って安定した癒着防止効果を発揮することなどを見出した。
したがって、本発明は上記した種々の知見に基づいて本発明を完成されたのである。
【００１１】
すなわち、本発明は、下記の式（１）；
−ＮＨ−（ＣＨ2）ｍ−ＳＯ3Ｈ        （１）
（式中、ｍは１〜１８の整数を示す。）
で表される基およびその塩の形態をなす基から選ばれる少なくとも１種の修飾基を有している、アルギン酸、ヒアルロン酸およびそれらの塩のうちの少なくとも１種からなる多糖類を含む癒着防止材であって、前記の式（１）で表される修飾基が、当該修飾基の一方の端部における−ＮＨ−部分でアルギン酸、ヒアルロン酸またはそれらの塩中のカルボキシル基とアミド結合をなしてアルギン酸、ヒアルロン酸またはそれらの塩に結合している、ことを特徴とする癒着防止材である。
【００１２】
そして、本発明は、下記の式（１）；
−ＮＨ−（ＣＨ2）ｍ−ＳＯ3Ｈ        （１）
（式中、ｍは１〜１８の整数を示す。）
で表される基、およびその塩の形態をなす基から選ばれる少なくとも１種の修飾基を有しているアルギン酸、ヒアルロン酸またはそれらの塩からなる多糖類であって、前記の式（１）で表される修飾基が、当該修飾基の一方の端部における−ＮＨ−部分でアルギン酸、ヒアルロン酸またはそれらの塩中のカルボキシル基とアミド結合をなしてアルギン酸、ヒアルロン酸またはそれらの塩に結合していることを特徴とするアルギン酸、ヒアルロン酸またはそれらの塩からなる多糖類である（以下、アルギン酸、ヒアルロン酸またはそれらの塩からなる多糖類を単に「多糖類」あるいは「多糖類またはその塩」ということがある）。
【００１３】
【発明の実施の形態】
以下に本発明について詳細に説明する。
本発明でいう「癒着防止材」とは、手術、ケガ、その他の原因によって、生体組織のいずれかに損傷、炎症、その他の疾患が生じた際に、それらの患部に施して、損傷部同士や損傷部と他の組織との癒着を防止したり低減するために用いられる材をいい、施す生体組織の種類や状態などは特に制限されない。また、本発明の癒着防止材の形態も特に制限されず、例えば生理的に受容な溶液または分散液；粘性液体；フイルムやその他の固形状物；布帛、紙、プラスチックフイルムなどの基材に塗布したり含浸させたもの；粉末；ペーストなどのいずれの形態であってもよい。そのうちでも、患部の適用の容易性などの点から、本発明の癒着防止材は、生理的に受容な溶液または分散液、粘性流体などの液状形態で好ましく用いられる。
【００１４】
本発明の癒着防止材を構成する多糖類は、上記の一般式（Ｉ）で表される基［以下これを「修飾基（１）」ということがある］および／またはその塩の形態の基で修飾されていることが必要であり、修飾基（１）およびその塩の形態の基では、その基−ＳＯ3Ｈまたは基−ＳＯ3Ｍ（式中Ｍは塩を形成し得る陽イオン）が、酸素原子に直接結合しないようにして基−ＮＨ−（ＣＨ2）ｍ−を介して多糖類に結合している。
すなわち、修飾基（１）が硫酸基（−Ｏ−ＳＯ3Ｈ）またはその塩の形態の基（−Ｏ−ＳＯ3Ｍ）の形態を採らずに基−ＮＨ−（ＣＨ2）ｍ−を介して多糖類に結合している。
それによって、修飾基（１）における基−ＳＯ3Ｈまたはその塩の形態の基−ＳＯ3Ｍが、加水分解によって多糖類から離脱することが防止または低減されるので、その癒着防止効果が短期間に失われない。
生体組織の種類などにもよるが、癒着の防止を円滑に行うためには、一般に７日間から２カ月間程度の期間に亙って癒着防止材が患部に存在することが望ましく、基−ＳＯ3Ｈまたはその塩の形態の基−ＳＯ3Ｍが上記した基−ＮＨ−（ＣＨ2）ｍ−を介して加水分解されにくい結合形式で多糖類に結合されている本発明の多糖類は、癒着防止に必要とされる上記した所望の期間に亙ってその癒着防止効果を安定して発揮できる。
【００１５】
本発明で用いる多糖類は、上記した修飾基（１）またはその塩の形態の基のうちの１種のみを有していても、または２種以上を有していてもよい。さらに、本発明で用いる多糖類は、酸の形態である上記の修飾基（１）のみを有していても、塩の形態である修飾基（１）のみを有していても、またはその両方を有していてもよい。
そのうちでも、本発明で用いる多糖類は、その修飾基（１）が、式−ＮＨ−ＣＨ2ＣＨ2−ＳＯ3Ｈ；式−ＮＨ−ＣＨ2ＣＨ2−ＳＯ3Ｎａで示される基であるのがより好ましく、その場合には、安全性、安定性、癒着防止能などの点でより優れる癒着防止材を得ることができる。
【００１６】
そして、本発明の多糖類では、修飾基（１）および／またはその塩の形態の基は、アルギン酸またはヒアルロン酸よりなる多糖類中のカルボキシル基と、修飾基（１）の一方の端部における−ＮＨ−部分でアミド結合の結合形式を採って多糖類に結合している。
【００１７】
また、修飾基（１）中の基−ＳＯ3Ｈが塩の形態の基−ＳＯ3Ｍである場合は、生理的に許容される塩であればいずれでもよく、例えば、Ｍとしては、ナトリウム、カリウム、カルシウム、マグネシウム、アンモニウムなどの陽イオンを挙げることができる。
【００１８】
そして、本発明の多糖類では、修飾基（１）およびその塩の形態の基の含有率［複数種の修飾基（１）を有している場合はその合計含有率］が、該修飾基（１）などを含めた多糖類の全重量に基づいて、硫黄原子に換算して、０．０５〜１０重量％であるのが好ましく、０．１〜５重量％であるのがより好ましい。硫黄原子の含有率が前記した０．０５重量％未満であると、有効な癒着防止効果が発揮されにくくなり、一方１０重量％を超えると生体内での吸収・排泄が不良となって毒性を発現する場合がある。
【００１９】
本発明では、修飾基（１）を結合している多糖類は、アルギン酸および／またはヒアルロン酸であり、これらの多糖類は単独で使用してもまたは併用してもよい。また、当該多糖類は生体適合性のある塩の形態になっていてもよい。本発明で用いているアルギン酸、ヒアルロン酸および／またはそれらの生体適合性の塩は、無害性および吸収・排泄性に優れている。
また、使用する多糖類の分子量なども特に制限されないが、分子量が１万から１，０００万の範囲のものを用いるのが、安定性、効果の点から好ましい。
【００２０】
また、本発明で用いる多糖類は、修飾基（１）と共に、癒着防止が必要な患部での物理的な隔離作用をより良好に発揮させたり、生体内吸収性を制御するなどの目的で他の基によって修飾されていてもよい。修飾基（１）と併存させる他の修飾基は、隔離作用の向上機能や生体内吸収性の制御作用を有する基であればどのような修飾基であってもよいが、疎水性基からなる修飾基を多糖類に導入すると、多糖類をゲル化させることなくその粘度の増大および生体内安定性の向上を図ることが可能である。その場合に、一般に粘度の増大は疎水性基間の疎水性結合による架橋によってもたらされる。また、多糖類中に疎水性基を導入することによってその生体内安定性が向上するが、疎水性基の導入量が多すぎると生体内での吸収・排泄速度が遅くなって毒性を発現する場合があるので注意を要する。多糖類に導入する疎水性基としては、生体に対する安全性の点から、脂肪酸、リン脂質、疎水性アミノ酸またはそれらの誘導体などに由来する疎水性基が好ましく、これらの疎水性基のうちの１種または２種以上を導入することができる。そのうちでも、疎水性アミノ酸に由来する疎水性基の導入がより好ましい。疎水性アミノ酸またはその誘導体に由来する疎水性基としては、例えばロイシン、イソロイシン、ノルロイシン、フェニルアラニン、バリンなどのアミノ酸、それらのアルキルエステル、それらのアルキルアミドなどに由来する疎水性基を挙げることができる。
疎水性基の種類、疎水性基における疎水性の度合いなどによって異なり得るが、例えば疎水性アミノ酸に由来する疎水性基を多糖類中に導入する場合は、多糖類を構成する単糖類の１モルに対して、疎水性基を０．２モル以下の割合で疎水性基を導入するのが好ましい。
【００２１】
修飾基（１）を有する多糖類、または修飾基（１）と疎水性基を有する多糖類の製造法は特に制限されず、修飾基（１）や疎水性基の導入に用いる化合物の種類に応じて適当な製造法を採用すればよい。一般的には、修飾基（１）は、アルギン酸、ヒアルロン酸またはそれらの塩からなる多糖類に、一方の端部に基−ＳＯ3Ｈまたは基−ＳＯ3Ｍを有し且つもう一方の端部にアミノ基を有する修飾基（１）導入用の化合物、またはそのアミド形成性誘導体を添加して、必要に応じて脱水縮合剤、縮合助剤、縮合触媒などを使用して、多糖類中のカルボキシル基と、上記した修飾基（１）導入用の化合物中のアミノ基との間に縮合反応を行わせることによって、多糖類中に修飾基（１）を導入することができる。その際に用い得る上記した脱水縮合剤、縮合助剤、縮合触媒としては、例えば、２−エチル−３−（３−ジメチルアミノプロピル）−カルボジイミド塩酸塩などの水溶性カルボジイミド、Ｎ−ヒドロキシコハク酸イミド、トリエチルアミンやジイソプロピルエチルアミンなどの３級アミンなどを挙げることができる。
【００２２】
また、多糖類に疎水性基、例えば脂肪酸、リン脂質、疎水性アミノ酸などに由来する疎水性基を導入する場合は、疎水性基導入用の化合物中のカルボキシル基、水酸基、アミノ基と、多糖類中の水酸基、カルボキシル基またはアミノ基との間でアミド結合、エステル結合、エーテル結合などを形成させるようにすればよい。
【００２３】
多糖類への上記した修飾基（１）の導入、または修飾基（１）と疎水性基の導入は、一般に、多糖類を水性媒体中に可溶な形態にしたもの（例えば多糖類のナトリウム塩などのような多糖類の水溶性塩など）を用いて、それを水性媒体中に溶解し、その水性溶液に修飾基（１）導入用の化合物、または修飾基（１）導入の化合物と疎水性基導入用の化合物を添加し、好ましくは上記した脱水縮合剤、縮合助剤および／または縮合触媒の存在下に、約０〜５０℃の温度で反応を行わせると、目的とする修飾基（１）、または修飾基（１）と疎水性基を多糖類中に円滑に結合させることができる。
【００２４】
本発明の癒着防止材は適当な形態にして用いることができ、上記したように、例えば生理的に受容な溶液または分散液；粘性液体；フイルム、シート、膜、粒状物、塊状物やその他の固形状物；布帛、紙、プラスチックフイルムなどの基材に塗布したり含浸させたもの；粉末；ペーストなどの形態で利用することができる。そして、前記したうちでも、本発明の癒着防止材を生理的に受容な溶液または分散液の形態にして用いると、複雑な構造の患部や奥まった位置にある患部などであっても適用が容易に行われて、その癒着防止効果を充分に発揮することができる。
【００２５】
さらに、本発明の癒着防止材は、生体内安定性の向上、粘度の調節などの目的で、必要に応じて、塩化ナトリウム、塩化カルシウム、塩化マグネシウムなどの無機塩類；エチレングリコール、プロピレングリコール、グリセリン、ポリエチレングリコールなどの多価アルコール類などを含有していてもよい。また、本発明の癒着防止材は、治癒の促進、細菌感染の防止などの目的で、必要に応じて、構造蛋白質（コラーゲン、フィブロネクチンなど）、消毒剤、抗生剤（例えばペニシリンなど）、抗菌剤（例えばオフロキサシンなど）、血行改善薬（例えばアクトシン、ＰＧＥＩなど）、酵素阻害剤（例えばウリナスタチン、ＴＩＭＰなど）、増殖因子（例えばＰＤＧＦ、ＦＧＦなど）、ステロイド剤、抗炎症剤（例えばインドメタシンなど）、各種アミノ酸、ビタミン類などの１種または２種以上を含有していてもよい。
【００２６】
また、本発明の癒着防止材は、例えば、γ線滅菌、電子線滅菌、オートクレーブ滅菌、エチレンオキサイドガス滅菌などの滅菌処理が可能であり、それらの処理を施すことによって安全性を高めることができる。
【００２７】
【実施例】
以下に本発明を実施例などにより具体的に説明するが、本発明はそれにより何ら限定されない。
【００２８】
《実施例１》
（１）  アルギン酸ナトリウム（和光純薬工業株式会社製、５００〜６００ｃｐ）を濃度が１重量％になるようにして３００ｍｌの注射用水（大塚製薬株式会社製）に溶解した。これに、タウリン（和光純薬工業株式会社製）１．２５ｇおよび水溶性カルボジイミド（ＷＳＣＤ・ＨＣｌ；株式会社ペプチド研究所製）４ｇを加えて溶解し、４℃の温度に保ちながら２日間撹拌下に反応させた。その後、注射用水に対して４℃の温度で７日間透析した（ＶＩＳＫＡＳＥ ＳＡＬＥＳ ＣＯＲＰ．製の透析膜を使用；１回当たり１，０００ｍｌの注射用水を使用して１３回注射用水を交換）。
（２）  上記（１）で得られた反応生成物を凍結乾燥して、固形物約３．１ｇを得た。この固形物をＩＲ分析にかけたところ、１５６１ｃｍ-1の位置に、アルギン酸のカルボキシル基とタウリンのアミノ基との間にアミド結合が形成され且つタウリンのスルホン酸基がナトリウム塩の形態になっている、基−ＮＨ−ＣＨ2−ＣＨ2−ＳＯ3Ｎａに相当する吸収があり、基−ＮＨ−ＣＨ2−ＣＨ2−ＳＯ3Ｎａで修飾されたアルギン酸であることが確認された。
（３）  また、上記（２）で得られた、式−ＮＨ−ＣＨ2−ＣＨ2−ＳＯ3Ｎａで修飾されたアルギン酸(凍結乾燥物）の一部を採って燃焼フラスコ中で分解（Ｏ2雰囲気下で燃焼後、水に吸収）した後、イオンクロマトアナライザー（横河電機社製「ＩＣ５００Ｓ」）を用いて硫黄の含有率を定量したところ、０．３８重量％であった。
（４）  上記（２）で得られた式−ＮＨ−ＣＨ2−ＣＨ2−ＳＯ3Ｎａで修飾されたアルギン酸（凍結乾燥物）を、２５ｋＧｙのγ線で滅菌処理した後、５重量％の濃度となるように生理食塩水（大塚製薬株式会社製）に溶解して癒着防止材を製造した。
【００２９】
《実施例２》
（１）  鶏の鶏冠から抽出したヒアルロン酸のナトリウム塩（キューピー株式会社製、分子量約２，５００，０００）を濃度が０．５重量％になるようにして２００ｍｌの注射用水（大塚製薬株式会社製）に溶解した。これに、タウリン（和光純薬工業株式会社製）１．２５ｇおよび水溶性カルボジイミド（ＷＳＣＤ・ＨＣｌ；株式会社ペプチド研究所製）４ｇを加えて溶解し、４℃の温度に保ちながら２日間撹拌下に反応させた。その後、注射用水に対して４℃で７日間透析した（ＶＩＳＫＡＳＥ ＳＡＬＥＳ ＣＯＲＰ．製の透析膜を使用；１回当たり１，０００ｍｌの注射用水を使用して１３回注射用水を交換）。
（２）  上記（１）で得られた反応生成物を凍結乾燥して、固形物約１．２ｇを得た。この固形物をＩＲ分析にかけたところ、１５６２ｃｍ-1の位置に、ヒアルロン酸のカルボキシル基とタウリンのアミノ基との間にアミド結合が形成され且つタウリンのスルホン酸基がナトリウム塩の形態になっている、基−ＮＨ−ＣＨ2−ＣＨ2−ＳＯ3Ｎａに相当する吸収があり、基−ＮＨ−ＣＨ2−ＣＨ2−ＳＯ3Ｎａで修飾されたヒアルロン酸であることが確認された。
（３）  また、上記（２）で得られた、式−ＮＨ−ＣＨ2−ＣＨ2−ＳＯ3Ｎａで修飾されたヒアルロン酸（凍結乾燥物）の一部を採って実施例１と同様にして硫黄の含有率を定量したところ、０．１７重量％であった。
（４）  上記（２）で得られた式−ＮＨ−ＣＨ2−ＣＨ2−ＳＯ3Ｎａで修飾されたヒアルロン酸（凍結乾燥物）を、２５ｋＧｙのγ線で滅菌処理した後、２．５重量％の濃度となるように生理食塩水（大塚製薬株式会社製）に溶解して癒着防止材を製造した。
【００３０】
《実施例３》
（１）  実施例１で使用したのと同じアルギン酸ナトリウムを濃度が１重量％になるようにして１００ｍｌの注射用水（大塚製薬株式会社製）に溶解した。これに、タウリン（和光純薬工業株式会社製）０．２５ｇ、ロイシンエチルエステル硫酸塩（株式会社ペプチド研究所製）１ｇ、Ｎ−ヒドロキシコハク酸イミド（株式会社ペプチド研究所製）０．６ｇ、トリエチルアミン（ナカライテスク株式会社製）および実施例１で使用したのと同じ水溶性カルボジイミド２ｇを加えて溶解し、４℃の温度に保ちながら２日間撹拌下に反応させた。その後、注射用水に対して４℃で７日間透析した（ＶＩＳＫＡＳＥ ＳＡＬＥＳ ＣＯＲＰ．製の透析膜を使用；１回当たり１，０００ｍｌの注射用水を使用して１３回注射用水を交換）。
（２）  上記（１）で得られた反応生成物を凍結乾燥して、固形物約１．３ｇを得た。
この固形物をＩＲ分析にかけたところ、１５６１ｃｍ-1の位置に、アルギン酸のカルボキシル基とタウリンのアミノ基との間にアミド結合が形成され且つタウリンのスルホン酸基がナトリウム塩の形態になっている、基−ＮＨ−ＣＨ2−ＣＨ2−ＳＯ3Ｎａに相当する吸収があり、更に１７３７ｃｍ-1の位置に、アルギン酸のカルボキシル基とロイシンエチルエステルのアミノ基との間にアミド結合が形成されたロイシンエチルエステルに相当する吸収があり、基−ＮＨ−ＣＨ2−ＣＨ2−ＳＯ3Ｎａおよびロイシンエチルエステル由来の基で修飾されたアルギン酸であることが確認された。
（３）  また、上記（２）で得られた、式−ＮＨ−ＣＨ2−ＣＨ2−ＳＯ3Ｎａおよび疎水性基で修飾されたアルギン酸（凍結乾燥物）の一部を採って実施例１と同様にして硫黄の含有率を定量したところ、０．７４重量％であった。
（４）  上記（２）で得られた式−ＮＨ−ＣＨ2−ＣＨ2−ＳＯ3Ｎａと、ロイシンエチルエステルに由来する疎水性基で修飾されたアルギン酸（凍結乾燥物）を、２５ｋＧｙのγ線で滅菌処理した後、５重量％の濃度となるように生理食塩水（大塚製薬株式会社製）に溶解して癒着防止材を製造した。
【００３１】
《実施例４》
（１）  実施例２で使用したのと同じヒアルロン酸のナトリウム塩を濃度が０．５重量％になるようにして１００ｍｌの注射用水（大塚製薬株式会社製）に溶解した。これに、タウリン（和光純薬工業株式会社製）０．３７５ｇ、ロイシンのエチルエステル硫酸塩（株式会社ペプチド研究所製）０．６ｇ、Ｎ−ヒドロキシコハク酸イミド（株式会社ペプチド研究所製）０．６ｇ、ジイソプロピルトリエチルアミン（和光純薬工業株式会社製）および実施例１で使用したのと同じ水溶性カルボジイミド２ｇを加えて溶解し、４℃の温度に保ちながら２日間撹拌下に反応させた。その後、注射用水に対して４℃の温度で７日間透析した（ＶＩＳＫＡＳＥ ＳＡＬＥＳ ＣＯＲＰ．製の透析膜を使用；１回当たり１，０００ｍｌの注射用水を使用して１３回注射用水を交換）。
（２）  上記（１）で得られた反応生成物を凍結乾燥して、固形物約０．６ｇを得た。この固形物をＩＲ分析にかけたところ、１５５８ｃｍ-1の位置に、ヒアルロン酸のカルボキシル基とタウリンのアミノ基との間にアミド結合が形成され且つタウリンのスルホン酸基がナトリウム塩の形態になっている、基−ＮＨ−ＣＨ2−ＣＨ2−ＳＯ3Ｎａに相当する吸収があり、更に１７０６ｃｍ-1の位置に、ヒアルロン酸のカルボキシル基とロイシンエチルエステルのアミノ基との間にアミド結合が形成されたロイシンエチルエステルに相当する吸収があり、基−ＮＨ−ＣＨ2−ＣＨ2−ＳＯ3Ｎａおよびロイシンエチルエステル由来の基で修飾されたヒアルロン酸であることが確認された。
（３）  また、上記（２）で得られた、式−ＮＨ−ＣＨ2−ＣＨ2−ＳＯ3Ｎａおよび疎水性基で修飾されたヒアルロン酸（凍結乾燥物）の一部を採って実施例１と同様にして硫黄の含有率を定量したところ、０．２３重量％であった。
（４）  上記（２）で得られた式−ＮＨ−ＣＨ2−ＣＨ2−ＳＯ3Ｎａと、ロイシンエチルエステルに由来する疎水性基で修飾されたヒアルロン酸（凍結乾燥物）を、２５ｋＧｙのγ線で滅菌処理した後、５重量％の濃度となるように生理食塩水（大塚製薬株式会社製）に溶解して癒着防止材を製造した。
【００３２】
《比較例１》
（１）  実施例１で使用したのと同じアルギン酸ナトリウムを濃度が１重量％になるようにして３００ｍｌの注射用水（大塚製薬株式会社製）に溶解した。これを、注射用水に対して４℃の温度で７日間透析した（ＶＩＳＫＡＳＥ ＳＡＬＥＳ ＣＯＲＰ．製の透析膜を使用；１回当たり１，０００ｍｌの注射用水を使用して１３回注射用水を交換）。
（２）  上記（１）で得られた生成物を凍結乾燥して、固形物約２．７ｇを得た。この固形物の一部を採って実施例１と同様にして硫黄の含有率を定量したところ、０重量％であった。
（３）  上記（２）で得られアルギン酸の凍結乾燥物を、２５ｋＧｙのγ線で滅菌処理した後、５重量％の濃度となるように生理食塩水（大塚製薬株式会社製）に溶解して癒着防止材を製造した。
【００３３】
《比較例２》
（１）  実施例２で使用したのと同じヒアルロン酸のナトリウム塩を濃度が０．５重量％になるようにして２００ｍｌの注射用水(大塚製薬株式会社製)に溶解した。これを、注射用水に対して４℃の温度で７日間透析した(ＶＩＳＫＡＳＥ ＳＡＬＥＳ ＣＯＲＰ．製の透析膜を使用；１回当たり１,０００ｍｌの注射用水を使用して１３回注射用水を交換）。
（２）  上記（１）で得られた生成物を凍結乾燥して、固形物約０．８ｇを得た。この固形物の一部を採って実施例１と同様にして硫黄の含有率を定量したところ、０重量％であった。
（３）  上記（２）で得られヒアルロン酸の凍結乾燥物を、２５ｋＧｙのγ線で滅菌処理した後、２．５重量％の濃度となるように生理食塩水（大塚製薬株式会社製）に溶解して癒着防止材を製造した。
【００３４】
《試験例１》
（１）  雄ＳＤラットを各群６匹ずつ７群準備し（平均体重約２５０ｇ）、第１群〜第６群のラットはそれぞれ実施例１〜４および比較例１〜２の試験に使用し、第７群のラットは対照用として使用した。
（２）  上記（１）で準備した第１群〜第７群のラットの盲腸の漿膜をガーゼで摩擦して、およそその１／２を剥離した。
（３）  上記（２）で盲腸の漿膜を剥離したラットのうち、第１群〜第６群のラットについては、漿膜を剥離した盲腸の周囲に、実施例１〜４および比較例１〜２で得られたそれぞれの癒着防止材を、ラット１匹当たり約１ｍｌの割合で各群６匹ずつ塗布した。
（４）  第１群〜第６群のラットについては、上記（３）の癒着防止材の塗布後１週間目に剖検して、癒着状態を肉眼で観察し、下記の表１に示す評価基準にしたがって点数評価し、６匹の平均値を採ったところ、各群の癒着状態は下記の表２に示すとおりの結果であった。また、剖検したラットの全身症状および内臓の状態を肉眼で観察して、下記の表１に示す評価基準にしたがって点数評価し、６匹の平均値を採ったところ、下記の表２に示すとおりの結果であった。
（５）  また、第７群のラットには実施例１〜４および比較例１〜２の癒着防止材のいずれをも塗布しないで１週間後に剖検して、癒着状態、並びに全身症状および内臓等の状態を肉眼で観察し、下記の表１に示す評価基準にしたがって点数評価し、６匹の平均値を採ったところ下記の表２に示すとおりの結果であった。
【００３５】
【表１】
0003925955.tif 000002
【００３６】
【表２】
0003925955.tif 000003
【００３７】
上記の表２の結果から、修飾基(１)の１種である基−ＮＨ−ＣＨ2−ＣＨ2−ＳＯ3Ｎａで修飾されたアルギン酸またはヒアルロン酸を含む実施例１〜４の癒着防止材の場合は、良好な癒着防止材を示し、しかも全身症状や内臓状態に全く異常が無く安全性に優れていることがわかる。
それに対して、基−ＮＨ−ＣＨ2−ＣＨ2−ＳＯ3Ｎａで修飾されていないアルギン酸またはヒアルロン酸を含む比較例１および２の材を用いた場合は、癒着防止効果を全く示さないことがわかる。
さらに、上記の表２の結果から、修飾基（１）の１種である基−ＮＨ−ＣＨ2−ＣＨ2−ＳＯ3Ｎａと疎水性基の両方で修飾したアルギン酸またはヒアルロン酸を含む実施例３および実施例４の癒着防止材では、その癒着防止効果が一層高いことがわかる。
【００３８】
【発明の効果】
上記した修飾基（１）で修飾されているアルギン酸、ヒアルロン酸およびそれらの塩のうちの少なくとも１種からなる多糖類を含む本発明の癒着防止材は、水溶液や粘性溶液などのような液状の形態にして用いることができるので、複雑な構造の患部や奥まった位置にある患部にも容易に施すことができる。
そして、本発明の癒着防止材は、物理的な隔離による癒着防止機能と共に、線維芽細胞の増殖を抑制して生物学的な癒着防止機能を有していることにより、良好な癒着防止効果も奏する、
さらに、本発明の癒着防止材は耐加水分解性に優れていて、加水分解によって短期間にその癒着防止効果が失われず、しかも生体組織によって適度に吸収・排泄されるので、所望の期間に亙って安定してその癒着防止効果を発揮することができる。
その上、本発明の癒着防止材は生物学的に安全であって、生体適合性に優れている。
また、本発明において、多糖類が上記した修飾基（１）と共に疎水性基で修飾されているものを用いる場合には、生体による吸収・排泄などの一層良好に調節しながら、その癒着防止効果をより向上させることができる。